(57)【要約】【課題】内槽内に温風を送風して洗濯物を乾燥させる行程を有し、洗濯から乾燥までを一貫して実施できる洗濯乾燥機において、上部に水栓等がある場合にも設置できるようにして設置性を向上するとともに、フィルターの操作性を向上し、さらに、送風ファンの径を大きくして風量を増大し乾燥能力を向上する。【解決手段】筐体１の上方に蓋体２６を開閉自在に設け、筐体１の内部に弾性的に吊支した外槽２内に、回転中心軸を略鉛直方向に有し洗濯物を収容する内槽４を回転自在に支持し、内槽４内に送風手段２９により温風を送風し、送風手段２９により送風される温風をヒータ４１により加熱する。送風手段２９は、送風ファン３６を水平方向に配し、送風する空気を筐体１の内部、外部の双方あるいはいずれか一方より吸気する構成とし、送風ファン３６の下方にフィルター４２を水平に着脱自在に配設するとともに、蓋体２６の下方に位置させる。【選択図】  図１
2005000492.tif 000002
【特許請求の範囲】
【請求項１】
筐体と、前記筐体の上方に開閉自在に設けた蓋体と、前記筐体の内部に弾性的に吊支した外槽と、回転中心軸を略鉛直方向に有し前記外槽内に回転自在に支持し洗濯物を収容する内槽と、前記内槽の内底部に回転自在に設けた回転翼と、前記内槽または回転翼を駆動する駆動手段と、前記内槽内に温風を送風する送風手段と、前記送風手段により送風される温風を加熱する加熱手段とを備え、前記送風手段は、送風ファンを水平方向に配し、送風する空気を前記筐体の内部、外部の双方あるいはいずれか一方より吸気する構成とし、前記送風ファンの下方にフィルターを水平に着脱自在に配設するとともに、前記蓋体の下方に位置させた洗濯乾燥機。
【請求項２】
送風手段は、送風ファンを収納する第１のファンケースと、複数個の吸気穴を有する仕切板と、前記第１のファンケースと仕切板とにより吸気風洞を形成する第２のファンケースとを備えた請求項１記載の洗濯乾燥機。
【発明の詳細な説明】
【０００１】
【発明の属する技術分野】
本発明は、内槽内に温風を送風して洗濯物を乾燥させる行程を有し、洗濯から乾燥までを一貫して実施できる洗濯乾燥機に関するものである。
【０００２】
【従来の技術】
従来、この種の洗濯乾燥機は図５および図６に示すように構成していた。以下、その構成について説明する。
【０００３】
図５に示すように、筐体１は、外槽２をサスペンション３により懸垂防振支持している。外槽２の内部に回転中心軸を略鉛直方向に有する内槽４を回転自在に設け、この内槽４の中央内底部に回転翼５を回転自在に設け、内槽４の上方に流体バランサー６を設けている。外槽２の下方にモータ（駆動手段）７を設け、中空で二軸構造となった洗濯・脱水軸８、および洗濯または脱水時によって回転力の伝達を洗濯・脱水軸８に切り換えるクラッチ９を介して、内槽４または回転翼５に連結している。
【０００４】
乾燥用送風機１０は、ヒータ１１により加熱された温風を温風噴出口１２より内槽４内に送風するもので、筐体１の略上方に設けている。熱交換器１３は、湿った温風を除湿するもので、一端を外槽２の排水経路口１４に接続した接続ダクト１５に接続し、他端を乾燥用送風機１０に接続している。
【０００５】
排水弁１６は、接続ダクト１５と熱交換器１３からの排水を排水ダクト１７を通して排水弁１６に導き、排水ホース１８から機外へ排水するように構成している。外槽カバー１９は外槽２の上面を気密的に覆うもので、この外槽カバー１９に内蓋２０を開閉自在に設け、衣類の出し入れを行うようにしている。
【０００６】
循環除湿経路２１は、排水経路口１４、接続ダクト１５、熱交換器１３、乾燥用送風機１０、ヒータ１１、温風噴出口１２などで形成し、内槽４を通して温風を循環させるもので、この循環除湿経路２１内に糸くず回収装置２２を設け、この糸くず回収装置２２を筐体１の後方に略鉛直方向に着脱自在に配設している。
【０００７】
糸くず回収装置２２は、図６に示すように、温風入力側に設け温風入力側が開口した袋状部２３ａを有する第１のフィルター２３と、温風出力側に設けた面状の第２のフィルター２４とを有している（例えば、特許文献１参照）。
【０００８】
上記構成において動作を説明する。洗濯行程では、内槽４に衣類と洗剤を投入して運転を開始すると、給水弁（図示せず）を開いて内槽４内に所定量の水を給水し、伝達機構部のクラッチ９を洗濯側に設定して、モータ７の動力を洗濯軸を介し回転翼５に伝達し、回転翼５を回転させて衣類を水中で攪拌して洗濯する。その後、排水弁１６を開いて排水し、すすぎ行程で再度給水し洗濯行程と同様にして衣類をすすぐ。
【０００９】
脱水行程では、すすぎ終了後、内槽４内の水を排水弁１６を開いて排水した後、伝達機構部のクラッチ９を脱水側に切り換えて、モータ７の動力を脱水軸を介し内槽４に伝達し、洗濯物に遠心力を与えることにより、水分を洗濯物から分離することで進行する。
【００１０】
乾燥行程では、まず、回転翼５を正逆転させることにより、脱水時の遠心力で内槽４の内壁に張り付いた衣類を引き剥がした後、回転翼５を瞬間的に正逆の方向に強力に回転させて、衣類を内槽４内で上方に放り上げるように攪拌する。同時に、ヒータ１１により加熱された温風を乾燥用送風機１０により温風噴出口１２に送る。
【００１１】
温風噴出口１２より内槽４に吹き込まれた温風は、衣類から水分を蒸発させた後、外槽２の下部に設けた排水経路口１４、接続ダクト１５、熱交換器１３、乾燥用送風機１０、ヒータ１１、温風噴出口１２などで形成する循環除湿経路２１を循環する。衣類から水分を蒸発させた高温多湿空気は、外槽２および熱交換器１３を通過する際に、冷却用送風機（図示せず）の送風により冷却されて除湿し、その後、再び、乾燥用送風機１０、ヒータ１１に戻ることになる。これにより、乾燥が進行する。
【００１２】
乾燥行程で、ヒータ１１により加熱され、乾燥用送風機１０により温風噴出口１２より内槽４に吹き込まれた温風は、衣類から水分を蒸発させた後、循環除湿経路２１内を循環するとき、衣類から発生した糸くず、ほこりなどは、糸くず回収装置２２に捕捉される。すなわち、衣類から発生した糸くずなどの大きいものはは第１のフィルター２３の袋状部２３ａに捕捉され、ほこりなどの小さいものは第２のフィルター２４に捕捉される。
【００１３】
【特許文献１】
特開２００１−３００１９２号公報
【００１４】
【発明が解決しようとする課題】
しかしながら、このような従来の構成では、また、糸くず回収装置２２を筐体１の後方で略鉛直方向に配設しているため、第１のフィルター２３および第２のフィルター２４を筐体１の後方において略鉛直方向に着脱しなくてはならず、使用勝手が悪いという問題があった。また、第１のフィルター２３および第２のフィルター２４を上方に引き抜くため、上方に水道栓がある家庭には設置できないという問題を有していた。
【００１５】
本発明は上記従来の課題を解決するもので、上部に水栓等がある場合にも設置できるようにして設置性を向上するとともに、フィルターの操作性を向上し、さらに、送風ファンの径を大きくできるようにして風量を増大し乾燥能力を向上することを目的としている。
【００１６】
【課題を解決するための手段】
本発明は上記目的を達成するために、筐体の上方に蓋体を開閉自在に設け、筐体の内部に弾性的に吊支した外槽内に、回転中心軸を略鉛直方向に有し洗濯物を収容する内槽を回転自在に支持し、内槽の内底部に回転翼を回転自在に設け、内槽または回転翼を駆動手段により駆動し、内槽内に送風手段により温風を送風するとともに、送風手段により送風される温風を加熱手段により加熱するよう構成し、送風手段は、送風ファンを水平方向に配し、送風する空気を筐体の内部、外部の双方あるいはいずれか一方より吸気する構成とし、送風ファンの下方にフィルターを水平に着脱自在に配設するとともに、蓋体の下方に位置させたものである。
【００１７】
これにより、上部に水栓等がある場合にも設置することができて設置性を向上できるとともに、フィルターの操作性を向上することができ、さらに、送風ファンの径を大きくできて風量を増大し乾燥能力を向上することができる。
【００１８】
【発明の実施の形態】
本発明の請求項１に記載の発明は、筐体と、前記筐体の上方に開閉自在に設けた蓋体と、前記筐体の内部に弾性的に吊支した外槽と、回転中心軸を略鉛直方向に有し前記外槽内に回転自在に支持し洗濯物を収容する内槽と、前記内槽の内底部に回転自在に設けた回転翼と、前記内槽または回転翼を駆動する駆動手段と、前記内槽内に温風を送風する送風手段と、前記送風手段により送風される温風を加熱する加熱手段とを備え、前記送風手段は、送風ファンを水平方向に配し、送風する空気を前記筐体の内部、外部の双方あるいはいずれか一方より吸気する構成とし、前記送風ファンの下方にフィルターを水平に着脱自在に配設するとともに、前記蓋体の下方に位置させたものであり、フィルターを水平に配設しているため、水栓が上方にあっても設置することができて設置性を向上できるとともに、フィルターを蓋体の下方に位置させているので、フィルターの操作性を向上することができ、さらに、送風ファンの径を大きくできて風量を増大し乾燥能力を向上することができる。
【００１９】
請求項２に記載の発明は、上記請求項１に記載の発明において、送風手段は、送風ファンを収納する第１のファンケースと、複数個の吸気穴を有する仕切板と、前記第１のファンケースと仕切板とにより吸気風洞を形成する第２のファンケースとを備えたものであり、仕切板の複数個の吸気穴より吸気するため送風ファンの風切音が漏れ出るのを低減でき、静音化を図ることができ、また、複数個の吸気穴を有する仕切板があるため、フィルターを万一取付け忘れた場合、仕切板の吸気穴より新聞紙片等の異物が吸引されることがなく、送風ファンの回転が阻害されることなく、所定の乾燥能力を保持することができる。
【００２０】
【実施例】
以下、本発明の一実施例について、図面を参照しながら説明する。なお、従来例と同じ構成のものは同一符号を付して説明を省略する。
【００２１】
図１に示すように、筐体カバー２５は、筐体１の上部を覆うもので、蓋体２６を後方軸支で開閉自在に有し、操作表示兼入力手段２７を前方に設けるとともに、内槽４に給水する給水弁２８を後方内部に設けている。また、筐体カバー２５の後方内部には、内槽４内に乾燥用の温風を送風する送風手段２９を配設し、機体の後方から外気を吸気する吸気口３０を設けている。
【００２２】
外槽カバー３１は、外槽２の上面を覆うように設け、この外槽カバー３１には伸縮自在の上部蛇腹状ホース３２を介し温風を供給する温風供給口３３が開口している。また、この外槽カバー３１には供給した温風を排出する排気口３４が開口している。排気口３４には、排気フィルター３４ａを着脱自在に設けている。また、この外槽カバー３１に内蓋３５を後方軸支で開閉自在に設け、衣類を出し入れするようにしている。
【００２３】
送風手段２９は、図２および図３に示すように、遠心式ファンである送風ファン３６を収納する第１のファンケース３７と、複数個の吸気穴３８ａを有する仕切板３８と、第１のファンケース３７と仕切板３８とにより吸気風洞３９を形成する第２のファンケース４０とで構成し、送風ファン３６の排気側にヒータ（加熱手段）４１を配設している。ここで、吸気穴３８ａは吸気側から排気側へ凸となる棒輪穴（バーリング穴）としている。
【００２４】
フィルター４２は、筐体カバー２５内で吸気口３０、送風ファン３６、ヒータ４１、温風噴出口３３３などで形成する吸排気経路の中の送風ファン３６と吸気口３０の間に配設し、筐体１に水平方向に着脱自在に配設するとともに、図４に示すように、蓋体２６の回転軸部の下方近傍に位置させている。また、送風ファン３６はその回転軸を略鉛直方向とし、その回転面を水平に配し、矢印ｎで示す筐体１の内部からの吸気と、矢印ｍで示す筐体１の内部からの吸気の双方あるいはいずれか一方よりその中心軸部へ吸気し、径方向外側へ排気する構成としている。
【００２５】
制御装置４３は、マイクロコンピュータを具備し、モータ７、クラッチ９、排水弁１６、吸水弁２８、送風ファン３６、ヒータ４１などの動作を制御し、洗い、すすぎ、脱水、乾燥の一連の行程を逐次制御するように構成している。
【００２６】
上記構成において動作を説明する。洗い行程では、蓋体２６と内蓋３５を開けて、内槽４に衣類（洗濯物）を投入し運転を開始すると、給水弁２８を開いて所定の水位まで給水した後、モータ７を駆動する。このとき、伝達機構部のクラッチ９によりモータ７の動力を洗濯軸を介して回転翼５に伝達し、回転翼５を回転させて衣類を水中で撹拌して洗濯し、その後、排水弁１６を開いて排水し、すすぎ行程で再度給水し洗い行程と同様にして衣類をすすぐ。
【００２７】
脱水行程では、すすぎ終了後、排水弁１６を開いて内槽４内の水を排水した後、伝達機構部のクラッチ９を脱水側に切り換えて、モータ７の動力を脱水軸を介して内槽４に伝達して回転させ、衣類に遠心力を与えることにより、水分を衣類から分離することで行う。脱水行程が終了すると引きつづいて乾燥行程に入る。
【００２８】
乾燥行程に入ると、モータ７を駆動して回転翼５に伝達し、回転翼５をゆっくり回転させることにより、脱水時の遠心力により内槽４の内壁に張り付いた衣類を引き剥がした後、所定の時間だけ内槽４を回転させながら衣類を乾燥する槽回転乾燥行程を行う。さらに、その後、回転翼５を瞬間的に正逆の方向に強力に回転させて、衣類を内槽４内で上方に放り上げるようにして撹拌しながら乾燥する撹拌乾燥行程を行う。
【００２９】
同時に、送風ファン３６を駆動することにより、吸気口３０より筐体１の内部からの吸気と、筐体１の内部からの吸気の双方あるいはいずれか一方より吸気し、この吸気された乾燥用の空気は、フィルター４２によりほこりなどの異物を回収し、ヒータ４１を通って加熱された温風となって、温風供給口３３より内槽４の内部に送り込まれる。内槽４内にて衣類の水分を奪って湿気を含んだ温風は、排気口３４より排気フィルター３４ａを介して、筐体１内に排出される。これにより乾燥が進行する。
【００３０】
このように本実施例によれば、フィルター４２を筐体カバー２５内で蓋体２６の回転軸部の下方近傍に位置させているので、上方に水道栓等があっても、フィルター４２の着脱時に、水道栓等の影響がなく、使い勝手を向上することができる。
【００３１】
また、フィルター４２を鉛直方向に配設した場合には、フィルター４２を収納ための収納スペースを、たとえば、筐体１の後方に突出させる必要があるが、フィルター４２を水平状態で配設しているので、フィルター４２を鉛直方向に配設した場合に筐体１の後方に突出させた寸法だけ送風ファン３６の径を大きくできて、風量を増大することができ、乾燥能力を向上することができる。
【００３２】
さらに、送風ファン３６は水平に配し、矢印ｎで示す筐体１の内部からの吸気と、矢印ｍで示す筐体１の内部からの吸気の双方あるいはいずれか一方より吸気する構成としているので、筐体１の内、外の吸気の比率を最適に設定することにより、吸気温度、湿度条件や吸気負荷を所望の条件にすることができ、所定の乾燥性能を確保する設計の自由度が大きくなる。
【００３３】
また、送風手段２９は、送風ファン３６を収納する第１のファンケース３７と、複数個の吸気穴３８ａを有する仕切板３８と、第１のファンケース３７と仕切板３８とにより吸気風洞３９を形成する第２のファンケース４０とで構成し、仕切板３８の複数個の吸気穴３８ａより吸気するため、送風ファン３６の風切音が漏れ出るのを低減でき、静音化を図ることができる。
【００３４】
また、複数個の吸気穴３８ａを有する仕切板３８があるため、フィルター４２を万一取付け忘れた場合、仕切板３８の吸気穴３８ａより新聞紙片等の異物が吸引されることがなく、送風ファン３６の回転が阻害されることなく、所定の乾燥能力を保持することができる。
【００３５】
なお、本実施例の送風ファン３６は遠心力ファンとしたが、遠心力ファンの一種である、シロッコファン、ターボファン、ラジアルファン以外であっても、回転中心軸方向より吸い込み、径方向に吐き出すタイプであればすべて同等の効果を得ることができる。
【００３６】
【発明の効果】
以上のように本発明の請求項１に記載の発明によれば、内槽内に温風を送風する送風手段は、送風ファンを水平方向に配し、送風する空気を筐体の内部、外部の双方あるいはいずれか一方より吸気する構成とし、送風ファンの下方にフィルターを水平に着脱自在に配設するとともに、蓋体の下方に位置させたから、上部に水栓等がある場合にも設置することができて設置性を向上できるとともに、フィルターの操作性を向上することができ、さらに、送風ファンの径を大きくできて風量を増大し乾燥能力を向上することができる。
【図面の簡単な説明】
【図１】本発明の一実施例の洗濯乾燥機の断面図
【図２】同洗濯乾燥機の送風手段の拡大断面図
【図３】同洗濯乾燥機の送風手段の分解斜視図
【図４】同洗濯乾燥機の斜視図
【図５】従来の洗濯乾燥機の断面図
【図６】従来の洗濯乾燥機の糸くず回収装置の拡大断面図
【符号の説明】
１  筐体
２  外槽
４  内槽
５  回転翼
７  モータ（駆動手段）
２６  蓋体
２９  送風手段
３６  送風ファン
４１  ヒータ（加熱手段）
４２  フィルター
【図１】
2005000492.tif 000003
【図２】
2005000492.tif 000004
【図３】
2005000492.tif 000005
【図４】
2005000492.tif 000006
【図５】
2005000492.tif 000007
【図６】
2005000492.tif 000008